(57)【特許請求の範囲】
【請求項１】
上方に開口する有底筒状の容器本体と、該容器本体の開口部を閉塞すべく、その上面に剥離可能に接着されている可撓性を有するシート体からなる蓋体とを備えている蓋体付き容器において、
前記容器本体には、閉塞手段が設けられ、該閉塞手段は、熱収縮性フィルムによって形成されるとともに、容器本体に装着される筒状の保持部と、前記蓋体の全周縁部を被覆する全周被覆部とを備え、前記蓋体の周方向の一部分を露出するべく、該全周被覆部から保持部の周方向にわたって切除手段が形成され、該切除手段に沿って閉塞手段を破断することにより、前記蓋体の剥離された周縁部を被覆すべく、蓋体の周方向に回転自在な部分被覆部を形成できるようにしたことを特徴とする蓋体付き容器。
【請求項２】
更に、前記容器本体の外周に装着される、熱収縮性フィルムからなる筒状のラベルを備えており、
前記ラベルは、蓋体の上面から容器本体の下面にわたって設けられ、
前記ラベルには、上部材と下部材とに分離するための切除手段が周方向に形成されており、
前記上部材が前記閉塞手段となる、請求項１に記載の蓋体付き容器。
【発明の詳細な説明】
【０００１】
【発明の属する技術分野】
本発明は、スナック菓子やインスタント麺等の食品等の被収容物を収容する蓋体付き容器の改良に関する。
【０００２】
【従来の技術】
従来、この種の蓋体付き容器としては、上方に開口する有底円筒状の紙製又はプラスチック製の容器本体と、該容器本体の開口部を閉塞する可撓性を有するシート材からなる蓋体とを備えたものが公知である。そして、容器本体に例えばスナック菓子を収容し、容器本体の上端部に周設されたフランジ部の上面に前記蓋体をヒートシールにより剥離可能に接着している。
【０００３】
収容されたスナック菓子を食する場合には、蓋体の一部分を摘んで引き上げながら略半分まで蓋体を剥離して部分開封し、それにより略半分開口した開口部からスナック菓子を取り出している。
【０００４】
【発明が解決しようとする課題】
前記容器は、蓋体を一旦剥離すると、シール性が喪失するため、閉塞性に劣る欠点があった。スナック菓子等は、一度に全部を食するとは限らず、所望する分だけ適宜食べて残しておきたい場合もある。かかる場合には、蓋体は閉塞性に劣るため、不用意にこぼしてしまうおそれがあり、携帯するのに非常に不便であった。
【０００５】
そこで、本発明は、上記従来の問題点に鑑みてなされ、簡易な構成で確実且つ容易に蓋体の閉塞状態を維持することが可能な蓋体付き容器を提供することを課題とする。
【０００６】
【課題を解決するための手段】
本発明は、上記課題を解決すべくなされたものであり、本発明に係る蓋体付き容器は、上方に開口する有底筒状の容器本体と、該容器本体の開口部を閉塞すべく、その上面に剥離可能に接着されている可撓性を有するシート体からなる蓋体とを備えている蓋体付き容器において、前記容器本体には、閉塞手段が設けられ、該閉塞手段は、熱収縮性フィルムによって形成されるとともに、容器本体に装着される筒状の保持部と、前記蓋体の全周縁部を被覆する全周被覆部とを備え、前記蓋体の周方向の一部分を露出するべく、該全周被覆部から保持部の周方向にわたって切除手段が形成され、該切除手段に沿って閉塞手段を破断することにより、前記蓋体の剥離された周縁部を被覆すべく、蓋体の周方向に回転自在な部分被覆部を形成できるようにしたことにある。
【０００７】
更に、前記容器本体の外周に装着される、熱収縮性フィルムからなる筒状のラベルを備えており、前記ラベルは、蓋体の上面から容器本体の下面にわたって設けられ、前記ラベルには、上部材と下部材とに分離するための切除手段が周方向に形成されており、前記上部材が前記閉塞手段となることにある。
【０００８】
【発明の実施の形態】
以下、本発明の蓋体付き容器の実施の形態について図面を参酌しつつ、説明する。
図１〜図４は、本発明の第一実施の形態を示し、前記容器は、上方に開口する有底筒状の容器本体１と、該容器本体１の開口部を閉塞する蓋体２と、再閉用の閉塞手段７とを備えている。
【０００９】
前記容器本体１は、紙、合成紙やこれらとプラスチックフィルムやアルミニウム箔を積層したシートから胴部と底部を形成したもの。又は例えば、ポリプロピレン、ポリエチレン、ポリスチレン及びそれらの発泡樹脂等の合成樹脂を射出成形等することにより形成されたものが使用される。容器本体１の上端部には、外方に向けて突出するフランジ部３が全周に亘って形成されている。尚、容器本体１の外周には、熱収縮性フィルムからなる筒状のラベル５が装着されている。
【００１０】
前記蓋体２は、例えば二軸延伸ポリエステルフィルムや二軸延伸ポリアミドフィルム、紙、合成紙、アルミ箔等の単層又は複層の厚さが２０乃至２００μｍ程度のシート材から形成されており、本実施形態では、ヒートシールによりフランジ部３の上面に剥離可能に接着されている。そのため、蓋体２は、最下層に例えばポリエチレン系やポリプロピレン系のイージーピールシーラント層（ヒートシール後に剥離可能あるいは破壊可能となるシーラント層）を有する多層シート材から構成されている。
【００１１】
前記閉塞手段７は、前記筒状のラベル５と同様に熱収縮性のフィルムから筒状に形成されている。熱収縮性のフィルムとしては、厚さ３０〜１００μｍ（好ましくは４０〜８０μｍ）のポリエステル系、ポリスチレン系のものが好ましく、内側の略全面に印刷が施されている。また、閉塞手段７は、容器本体１の上部に位置し且つ、前記ラベル５の外周（容器本体の上部）及びフランジ部の外周に回転自在に装着されている。
【００１２】
前記閉塞手段７は、容器本体１に装着される筒状の保持部８と、前記蓋体の周縁部の全周を被覆するように、環状に屈曲形成された全周被覆部９とを備えている。該全周被覆部９は、筒状の熱収縮フィルムを容器本体１に外嵌させた後、閉塞手段７を熱収縮させることにより、容器の胴部、フランジ部及び蓋体の周縁部に沿うように形成することができる。これによって、容器は流通時の封緘性が維持される。
【００１３】
前記全周被覆部９から保持部８の周方向にわたって切り込み１１を起点としてミシン目（切除手段）１０が形成され、該ミシン目１０に沿って閉塞手段７を破断することにより、蓋体２の周方向の一部に部分被覆部１２を残存できるようにしている。ここで、部分被覆部１２の周方向の長さは、切断により除去されるスクラップ部分１５の周長さよりも長く設定するのが好ましい。
【００１４】
次に、前記容器内のスナック菓子を食する場合について説明する。
先ず、切り込み１１からミシン目１０に沿って閉塞手段７を破断すると、全周被覆部９の略半分と保持部８の上部が除去される（図３（イ）参照）。次に、露出する蓋体２の一部分２ａを剥離するのであるが、蓋体２の剥離は、部分被覆部１２の先端により規制されるため、所定の一部分２ａが剥離されることとなる（図３（ロ）参照）。そして、容器本体１の開口１ａから被収納物であるスナック菓子を取り出すことができる。
【００１５】
その後、閉塞手段７を略１８０°（閉塞位置まで）回転させることにより、蓋体２の剥離された一部分２ａを被覆する（図４（イ）及び（ロ）参照）。蓋体２の剥離された一部分２ａは、閉塞手段７の部分被覆部１２で順次押えられながら閉塞され且つその状態を維持されるため、被収納物がこぼれ落ちることはない。また、部分被覆部１２の周方向の長さは、切断により除去されるスクラップ部分１５の周長さよりも長く（容器本体１のフランジ部の半周よりも長く）設定していることから、蓋体２の剥離された一部分２ａの全周長にわたって部分被覆部１２で覆うため、衛生的でもある。
尚、図４（ロ）に示すＡは剥離された一部分２ａの容器本体１の径方向の長さを示す。
本第一実施の形態は、開封する以前の閉塞手段７の全周被覆部９が、蓋体２と容器本体１のフランジ部３とのシール部分全周を覆うため、フランジ部周縁の汚れ等が防止できることとなり、容器本体１の全体を別途ほこり等の汚れ防止用に熱収縮フィルムでオーバーラップする必要がない。
【００１６】
図５は本発明の第二実施の形態を示す。本実施の形態は、前記筒状のラベルが閉塞手段を兼用する場合である。即ち、蓋体２の上面から容器本体１の下面にわたって設けられた筒状のラベル５には、上部材５ａと下部材５ｂとを分離するためのミシン目１７が周方向に形成されている。
【００１７】
また、下部材５ｂは容器本体１に対して回転しないように接着剤を介して容器本体１に固着されている。従って、上部材５ａを回転させることにより、ミシン目１７に沿って筒状のラベル５が二分割され、上部材５ａが閉塞手段となる。以下、前記第一実施の形態で示した如くミシン目１０に沿ってスクラップ部分１５を除去し、蓋体２の一部を剥離して被収納物を取り出した後に、上部材５ａを閉塞位置まで回転させる。
【００１８】
尚、本発明は前記実施の形態に限定されるものではなく、前記閉塞手段は、図３（イ）に示す如く前記スクラップ部分が除去されたのと同じ形態に予め設定しておいても良く、かかる場合には、熱収縮性フィルムでオーバーラップして容器本体１及び蓋体２の全体を被覆するのが好ましい。
【００１９】
また、前記筒状の熱収縮フィルムではなく、真空成形等のシート成形や射出成形によって容器本体１上部のフランジ部等に嵌合される閉塞手段（図６参照）を形成することもできる（参考形態）。このような成形品からなる閉塞手段７は、フランジ部３に嵌合させる嵌合部７ａを備え、フランジ部３の周方向に沿って回転可能になっている。また、閉塞手段７が容器本体１のフランジ部の半円よりも長く設定されているのが好ましいのは、前記同様である。
【００２０】
また、前記成形品からなる閉塞手段７は、図７に示す如く、例えば摘み１５ａを引き上げミシン目等によって切除可能なスクラップ部分１５を有するものでも良い（他の参考形態）。かかるスクラップ部分１５側には、前記嵌合部７ａは設けておらず、容易にフランジ部３から離脱できるようになっている。
【００２１】
更に、容器本体１の形状もテーパー状に限定されるものではなく、茶筒のように円柱状または角筒状で合っても良く、特に限定されるものではない。
【００２２】
また、被収容物は、前記スナック菓子に限定されるものではなく、湯を注いで食することができるインスタント麺で合っても良く、かかるインスタント麺の場合には、湯で調理する際に、蓋体を容易に閉塞できる。
【００２３】
【発明の効果】
本発明の蓋体付き容器は、以上のように構成したので、閉塞手段を回転させるという簡単な操作により、簡易な構成で確実且つ容易に部分的に剥離された蓋体の閉塞状態を維持することができ、シート状の蓋体に再閉性を持たせることが可能となる。
【００２４】
従って、被収納物が例えばスナック菓子の場合には、所望する分だけ食した後に、残りのものを容器本体に収納した状態で携帯するのに非常に便利である。また、被収納物が例えばインスタント麺のように湯を容器本体に注いだ後に、蓋体を所定時間閉塞しておくのに非常に便利である。
【図面の簡単な説明】
【図１】本発明の第一実施の形態の蓋体付き容器を示す一部破断を含む全体斜視図。
【図２】同要部を示す断面正面図。
【図３】（イ）は閉塞手段のからスクラップ部分を除去した状態を示す要部斜視図、（ロ）は蓋体を開封した状態の要部斜視図。
【図４】（イ）は閉塞手段で蓋体の剥離した部分を閉塞した状態の要部斜視図、（ロ）は、同要部を示す断面正面図。
【図５】第二実施の形態における蓋体付き容器を示す斜視図。
【図６】参考形態における蓋体付き容器を示し、（イ）は斜視図、（ロ）は断面図正面。
【図７】他の参考形態における蓋体付き容器を示し、（イ）は斜視図、（ロ）は断面図正面。
【符号の説明】
１…容器本体、２…蓋体、３…フランジ部、７…閉塞手段、８…保持部、９…全周被覆部、１２…部分被覆部
【図１】
0004700203.tif 000002
【図２】
0004700203.tif 000003
【図３】
0004700203.tif 000004
【図４】
0004700203.tif 000005
【図５】
0004700203.tif 000006
【図６】
0004700203.tif 000007
【図７】
0004700203.tif 000008